(57)【要約】【課題】コンテンツ推薦情報の新たな提供態様を実現し、複雑な操作など行うことなく、種々の内容、態様のコンテンツ推薦情報の提供、利用を実現する。【解決手段】通信端末のＨＤＤ４に記憶されているコンテンツ推薦情報の内、ＣＰＵ１によって送信する情報として選択されたコンテンツ推薦情報が通信Ｉ／Ｆ１２、通信回路１３、送受信アンテナ１４を通じて送信され、通信路を接続している提供先通信端末に提供される。一方、提供先通信端末においては、推薦情報受信手段によって提供元通信端末からのコンテンツ推薦情報が受信され、これがＨＤＤなどの受信情報記憶手段に記憶され、利用できるようにされる。【選択図】図１
2006276943.tif 000002
【特許請求の範囲】
【請求項１】
相互接続された通信端末間において、コンテンツ推薦情報を送受するようにするコンテンツ推薦システムであって、
前記コンテンツ推薦情報の提供元となる第１の通信端末は、
送信すべきコンテンツ推薦情報を記憶する記憶手段と、
前記記憶手段に記憶されている前記コンテンツ推薦情報の中から送信すべきコンテンツ推薦情報を選択する選択手段と、
前記選択手段により選択された前記コンテンツ推薦情報を第２の通信端末に対して送信する送信手段と
を備え、
前記コンテンツ推薦情報の提供先となる第２の通信端末は、
前記第１の通信端末からの前記コンテンツ推薦情報を受信する受信手段と、
前記受信手段を通じて受信した前記コンテンツ推薦情報を記憶保持する記憶手段と
を備えることを特徴とするコンテンツ推薦システム。
【請求項２】
請求項１に記載のコンテンツ推薦システムであって、
前記第２の通信端末は、
ユーザのコンテンツについての嗜好情報を送信する送信手段を備え、
前記第１の通信端末は、
前記第２の通信端末からの前記嗜好情報を受信する受信手段を備え、
前記第１の通信端末の前記選択手段は、前記受信手段を通じて受信した前記嗜好情報に合致する前記コンテンツ推薦情報を選択する
ことを特徴とするコンテンツ推薦システム。
【請求項３】
相互接続されたサーバ装置と通信端末との間において、コンテンツ推薦情報を送受するコンテンツ推薦システムであって、
前記サーバ装置は、
送信すべきコンテンツ推薦情報を記憶する記憶手段と、
前記記憶手段に記憶されている前記コンテンツ推薦情報の中から送信すべきコンテンツ推薦情報を選択する選択手段と、
前記選択手段により選択された前記コンテンツ推薦情報を前記通信端末に対して送信する送信手段と
を備え、
前記通信端末は、
前記サーバ装置からの前記コンテンツ推薦情報を受信する受信手段と、
前記受信手段を通じて受信した前記コンテンツ推薦情報を記憶保持する記憶手段と
を備えることを特徴とするコンテンツ推薦システム。
【請求項４】
請求項３に記載のコンテンツ推薦システムであって、
前記サーバ装置は、
相互接続可能な通信端末の識別情報と、前記識別情報により特定される通信端末のユーザのコンテンツに対する嗜好情報とを関連付けて記憶保持する嗜好情報格納手段と、
前記通信端末から送信される識別情報を受信する受信手段と
を備え、
前記サーバ装置の前記選択手段は、前記受信手段によって受信された前記識別情報に応じて決まる前記嗜好情報格納手段に格納されている嗜好情報に合致するコンテンツ推薦情報を選択し、
前記通信端末は、
自己の識別情報を前記サーバ装置に送信する送信手段を備えることを特徴とするコンテンツ推薦システム。
【請求項５】
他の機器との間で通信を行うための通信手段と、
自機の識別情報を間歇的に送信すると共に、前記識別情報の送信と送信の間においては他機の識別情報の受信待ちとなるように前記通信手段を制御する通信制御手段と、
送信すべきコンテンツ推薦情報を記憶保持する送信情報記憶手段と、
受信したコンテンツ推薦情報を記憶保持する受信情報記憶手段と、
前記通信手段を通じて他の機器との間に通信路を形成した場合に、前記送信情報記憶手段に記憶保持されている前記コンテンツ推薦情報の中から送信すべきコンテンツ推薦情報を選択する選択手段と、
前記選択手段により選択された前記コンテンツ推薦情報を、前記通信手段を通じて前記他の機器に送信するようにする送信制御手段と、
前記通信手段を通じて自機に対するコンテンツ推薦情報を受信した場合に、これを前記受信情報記憶手段に記録するようにする受信制御手段と
を備えることを特徴とする通信端末。
【請求項６】
他の機器との間で通信を行うための通信手段と、
自機の識別情報を間歇的に送信すると共に、前記識別情報の送信と送信の間においては他機の識別情報の受信待ちとなるように前記通信手段を制御する通信制御手段と、
送信すべきコンテンツ推薦情報を記憶保持する送信情報記憶手段と、
受信したコンテンツ推薦情報を記憶保持する受信情報記憶手段と、
ユーザのコンテンツについての嗜好情報を記憶保持する嗜好情報記憶手段と、
前記通信手段を通じて他の機器との間に通信路を形成した場合に、前記嗜好情報記憶手段に記憶保持されている前記嗜好情報を、前記通信手段を通じて前記他の機器に送信するようにする嗜好情報送信制御手段と、
前記通信手段を通じて自機に対するコンテンツ推薦情報を受信した場合に、これを前記受信情報記憶手段に記録するようにする受信制御手段と、
前記通信手段を通じて他の機器からの前記嗜好情報を受信した場合に、前記送信情報記憶手段に記憶保持されている前記コンテンツ推薦情報の中から、受信した前記嗜好情報に合致するコンテンツ推薦情報を抽出する抽出手段と、
前記抽出手段により抽出された前記コンテンツ推薦情報を、前記通信手段を通じて通信に相手先に送信するようにする送信制御手段と、
を備えることを特徴とする通信端末。
【請求項７】
コンテンツ推薦情報を記憶保持すると共に、相互接続可能な通信端末の識別情報と、前記識別情報により特定される通信端末のユーザのコンテンツに対する嗜好情報とを関連付けて記憶保持しているサーバ装置から、前記コンテンツ推薦情報の提供を受ける通信端末であって、
自機の識別情報を前記サーバ装置に送信する識別情報送信手段と、
自機に対するコンテンツ推薦情報を受信する推薦情報受信手段と、
前記推薦情報受信手段を通じて受信した前記コンテンツ推薦情報を記憶保持する受信情報記憶手段と
を備えることを特徴とする通信端末。
【請求項８】
相互接続された通信機器間において、コンテンツ推薦情報を送受するようにするコンテンツ推薦方法であって、
前記コンテンツ推薦情報の提供元となる提供元通信機器において、
自己が記憶保持するコンテンツ推薦情報の中から、送信すべきコンテンツ推薦情報を選択する選択ステップと、
前記選択ステップにおいて選択された前記コンテンツ推薦情報を送信先通信機器に送信する送信ステップと、
前記コンテンツ推薦情報の提供先となる提供先通信機器において、
前記提供元通信機器からの前記コンテンツ推薦情報を受信する受信ステップと、
前記受信ステップにおいて受信した前記コンテンツ推薦情報を記憶手段に記録する記録ステップと、
を有することを特徴とするコンテンツ推薦方法。
【発明の詳細な説明】
【技術分野】
【０００１】
この発明は、例えば、種々の記録媒体やインターネットなどの通信媒体を通じて豊富に提供されるようになった音楽（楽曲）コンテンツやＡＶ（Audio/Visual）コンテンツなどについての推薦情報を提供するようにするシステム、装置、方法に関する。
【背景技術】
【０００２】
ＣＤ（Compact Disc）に記録されて提供される音楽（楽曲）データやＤＶＤ（Digital Versatile Disc）に記録されて提供されるＡＶデータ、さらにはインターネットなどのネットワークを通じて提供される種々のコンテンツなど、大量に提供されるコンテンツの中から、ユーザの嗜好に応じたコンテンツを選択または推薦する方法が、従来から数多く提案されている。
【０００３】
例えば、後に記す特許文献１には、サービスを要求するユーザ（顧客）の興味や嗜好の傾向により対応したサービス情報（推薦ＣＤリスト等）を提供できるようにする技術が開示されている。また、インターネットを通じて商品の売買を行うサイトでは、ユーザの過去の購入履歴や同傾向にある他人の購入動向を参照して、コンテンツを推薦する方法なども行われている。
【０００４】
すなわち、過去に行われたアンケート結果の情報や商品の購入履歴情報などを、ユーザごとに蓄積しておき、それらを解析することによって、各ユーザの興味や嗜好の傾向を分析し、各ユーザに対してそのユーザの興味や嗜好にあったコンテンツを選択して推奨するなどのことが行われている。
【特許文献１】特開２０００−０４８０４６号公報
【発明の開示】
【発明が解決しようとする課題】
【０００５】
しかしながら、インターネットを通じて、例えばコンテンツデータなどの商品の販売を行う販売業者側からのいわゆるダイレクトメールは、ユーザ側から見ると迷惑である場合も多い。また、販売業者側からの情報の提供は、商品のセールス活動の一環として行われることがほとんどであり、ユーザ側から見ると不必要な情報の提供であったり、信憑性に疑問をもったりする場合もある。
【０００６】
このため、ユーザが自己のＰＣ（パーソナルコンピュータ）などを操作して、インターネット上に設けられた種々のサーバ装置から自分の好みに合ったコンテンツを探し出すようにすることも行われる。しかし、ユーザが種々の情報を用いて、目的とするコンテンツを探しだす作業は大変な作業である。また、インターネット上のサーバ装置から、目的とするコンテンツの候補を探せたとしてもそれが試聴（試し再生）できないものである場合、そのまま購入しなければならず、コンテンツデータを購入することに不安を感じる場合もある。
【０００７】
以上のことにかんがみ、この発明は、コンテンツ推薦情報の新たな提供態様を実現し、複雑な操作など行うことなく、ユーザが必要とする種々の内容、態様のコンテンツ推薦情報の提供を実現するシステム、装置および方法を提供することを目的とする。
【課題を解決するための手段】
【０００８】
上記課題を解決するため、請求項１に記載の発明のコンテンツ推薦システムは、
相互接続された通信端末間において、コンテンツ推薦情報を送受するようにするコンテンツ推薦システムであって、
前記コンテンツ推薦情報の提供元となる第１の通信端末は、
送信すべきコンテンツ推薦情報を記憶する記憶手段と、
前記記憶手段に記憶されている前記コンテンツ推薦情報の中から送信すべきコンテンツ推薦情報を選択する選択手段と、
前記選択手段により選択された前記コンテンツ推薦情報を第２の通信端末に対して送信する送信手段と
を備え、
前記コンテンツ推薦情報の提供先となる第２の通信端末は、
前記第１の通信端末からの前記コンテンツ推薦情報を受信する受信手段と、
前記受信手段を通じて受信した前記コンテンツ推薦情報を記憶保持する記憶手段と
を備えることを特徴とする。
【０００９】
この請求項１に記載の発明のコンテンツ推薦システムによれば、第１の通信端末の記憶手段に記憶されているコンテンツ推薦情報の内、選択手段によって送信する情報として選択されたコンテンツ推薦情報が送信手段を通じて送信され、相互接続されている第２の通信端末に提供される。一方、第２の通信端末においては、受信手段によって第１の通信端末からのコンテンツ推薦情報が受信され、これが記憶手段に記憶される。
【００１０】
このように、通信端末のユーザが複雑な操作などを一切行うことなく、ユーザは自己の通信端末を持って移動するだけで、複数の通信端末からコンテンツ推薦情報の提供を受け、また、複数の通信端末に対してコンテンツ推薦情報を提供することができるという、コンテンツ推薦情報の新たな提供形態を実現することができる。そして、コンテンツを実際に利用したユーザのコンテンツ推薦情報を通信端末間で取得できるようにし、これを新たなコンテンツを購入などして取得するか否かを判断する上で有効な情報として利用することができるようにされる。
【００１１】
また、請求項２に記載の発明のコンテンツ推薦システムは、請求項１に記載のコンテンツ推薦システムであって、
前記第２の通信端末は、
ユーザのコンテンツについての嗜好情報を送信する送信手段を備え、
前記第１の通信端末は、
前記第２の通信端末からの前記嗜好情報を受信する受信手段を備え、
前記第１の通信端末の前記選択手段は、前記受信手段を通じて受信した前記嗜好情報に合致する前記コンテンツ推薦情報を選択する
ことを特徴とする。
【００１２】
この請求項２に記載の発明のコンテンツ推薦システムによれば、第２の通信端末の送信手段を通じて、第１の通信端末に対して第２の通信端末のユーザのコンテンツに対する嗜好情報が送信される。この嗜好情報は第１の通信端末の受信手段によって受信され、この嗜好情報に合致するコンテンツ推薦情報が記憶手段から選択されて、第２の通信端末に提供するようにされる。
【００１３】
これにより、第２の通信端末に対しては、当該第２の通信端末のユーザの嗜好に合致したコンテンツ推薦情報を提供することができる。すなわち、第２の通信端末のユーザの嗜好にあったコンテンツのコンテンツ推薦情報を的確に提供することができ、ユーザの欲しない無駄なコンテンツ推薦情報を提供することを防止することができるようにされる。
【００１４】
また、請求項３に記載の発明のコンテンツ推薦システムは、
相互接続されたサーバ装置と通信端末との間において、コンテンツ推薦情報を送受するコンテンツ推薦システムであって、
前記サーバ装置は、
送信すべきコンテンツ推薦情報を記憶する記憶手段と、
前記記憶手段に記憶されている前記コンテンツ推薦情報の中から送信すべきコンテンツ推薦情報を選択する選択手段と、
前記選択手段により選択された前記コンテンツ推薦情報を前記通信端末に対して送信する送信手段と
を備え、
前記通信端末は、
前記サーバ装置からの前記コンテンツ推薦情報を受信する受信手段と、
前記受信手段を通じて受信した前記コンテンツ推薦情報を記憶保持する記憶手段と
を備えることを特徴とする。
【００１５】
この請求項３に記載の発明のコンテンツ推薦システムによれば、例えば、所定のサービススポットにサーバ装置が設置するようにされ、このサーバ装置の記憶手段に記憶されているコンテンツ推薦情報が選択手段により選択され、送信手段を通じて通信の相手先である通信端末に対して送信される。通信端末の受信手段は、サーバ装置からのコンテンツ推薦情報を受信し、これが記憶手段に記憶される。
【００１６】
これにより、サーバ装置と、このサーバ装置と通信が可能なエリア内に入った通信端末とに間に自動的に通信路が確立され、サーバ装置からコンテンツ推薦情報を自動的に提供できるようにするコンテンツ推薦情報の新たな提供形態を実現することができるようにされる。そして、サーバ装置から提供されるコンテンツ推薦情報を新たなコンテンツを購入などして取得するか否かを判断する上で有効な情報として利用することができるようにされる。
【００１７】
また、請求項４に記載の発明のコンテンツ推薦システムは、請求項３に記載のコンテンツ推薦システムであって、
前記サーバ装置は、
相互接続可能な通信端末の識別情報と、前記識別情報により特定される通信端末のユーザのコンテンツに対する嗜好情報とを関連付けて記憶保持する嗜好情報格納手段と、
前記通信端末から送信される識別情報を受信する受信手段と
を備え、
前記サーバ装置の前記選択手段は、前記受信手段によって受信された前記識別情報に応じて決まる前記嗜好情報格納手段に格納されている嗜好情報に合致するコンテンツ推薦情報を選択し、
前記通信端末は、
自己の識別情報を前記サーバ装置に送信する送信手段を備えることを特徴とする。
【００１８】
この請求項４に記載の発明のコンテンツ推薦システムによれば、通信端末の識別情報が送信手段を通じて、サーバ装置に送信される。サーバ装置においては、各通信端末の識別情報と、各通信端末のユーザのコンテンツに対する嗜好情報とが関連付けて記憶保持されており、通信端末からの識別情報を受信して、これに対応する嗜好情報に合致するコンテンツ推薦情報が選択されて通信端末に提供するようにされる。
【００１９】
これにより、サーバ装置は、通信端末のユーザの嗜好に合致したコンテンツ推薦情報を提供することができる。すなわち、通信端末のユーザの嗜好にあったコンテンツのコンテンツ推薦情報を的確に提供することができ、ユーザの欲しない無駄なコンテンツ推薦情報を提供することを防止することができるようにされる。
【発明の効果】
【００２０】
この発明によれば、通信端末を介在させたコンテンツ推薦情報の新たな提供形態を実現することができる。また、様々な内容、態様のコンテンツ推薦情報を入手できる環境を構築することができ、コンテンツの利用や購入に際しての重要な判断材料となるコンテンツ推薦情報の提供経路を構築することができる。
【発明を実施するための最良の形態】
【００２１】
以下、図を参照しながらこの発明による装置、方法の一実施の形態について説明する。
【００２２】
［１．第１の実施の形態（端末同士で推薦情報を送受する）］
［１−１．携帯端末装置の構成］
図１は、この発明の一実施の形態が適用された携帯端末装置（以下、単に端末という。）を説明するためのブロック図である。図１に示すように、この実施の形態の端末は、ＣＰＵ（Central Processing Unit）１、ＲＯＭ（Read Only Memory）２、ＲＡＭ（Random Access Memory）３、ハードディスクドライブ（以下、ＨＤＤと略称する。）４、操作部５、通信インターフェース（以下、通信Ｉ／Ｆと略称する。）６、通信端子７、音声出力処理部８、スピーカ９、ＬＣＤ（Liquid Crystal Display）ドライバ１０、ＬＣＤ１１、通信インターフェース（以下、通信Ｉ／Ｆと略称する。）１２、通信回路１３、送受信アンテナ１４を備えたものである。
【００２３】
ＣＰＵ１は、プログラムを実行して種々の演算を行うなどして制御信号を形成し、これを各部に供給することにより、端末全体の動作を制御する。ＲＯＭ２は、ＣＰＵ１において実行する制御プログラムやこの端末を識別するための固有の識別情報（識別ＩＤ）などを保持する。
【００２４】
なお、ＲＯＭ２は、ＥＥＰＲＯＭ（Electrically Erasable and Programmable ROM）の一種であるフラッシュメモリなどのいわゆる不揮発性メモリを用い、端末の電源を切ってもデータの保持が可能であると共に、必要に応じてプログラムやデータの書き換えが可能なように構成することもできる。
【００２５】
ＲＡＭ３は、ＣＰＵ１が動作する上で必要なワークメモリとして使用されるものであり、後述する音声データや画像データのデコード処理時における一時バッファとしても使用される。これらＣＰＵ１と、ＲＯＭ２と、ＲＡＭ３とがＣＰＵバス１５を通じて接続され、この実施の形態の端末の各部を制御するマイクロコンピュータを構成している。
【００２６】
ＨＤＤ４は、記録媒体としてハードディスクを備え、ＣＰＵ１からの制御に応じて、当該ハードディスクに対してデータの書き込みを行ったり、また、当該ハードディスク書き込まれたデータを読み出したりすることができるものである。もちろん、この実施の形態の端末の電源が落とされ、ＨＤＤ４への電源の供給が停止された場合であっても、ＨＤＤ４のハードディスクに書き込まれた（記憶保持された）データが消滅することは無い。
【００２７】
操作部５は、ユーザからの操作入力を受け付けるための操作ボタンスイッチや操作キーや操作つまみなどを備えたものであり、これらを通じてユーザからの操作入力を受け付けて電気信号に変換し、これをＣＰＵ１に通知することができるものである。これにより、ＣＰＵ１は、ユーザからの操作入力に応じてこの実施の形態の端末の各部を制御することができるようにされる。
【００２８】
なお、操作部５は、後述するＬＣＤの表示画面に設けられ、ユーザからの操作入力を受け付けるタッチスクリーンと、当該タッチスクリーンを通じて受け付けた操作入力（指示情報）をＣＰＵ１に伝えるためのインターフェース回路とによって構成することも可能であるし、いわゆるマウスなどのポインティングデバイスを用いて構成することも可能である。また、上述した各構成の操作部を併用することも可能である。
【００２９】
通信Ｉ／Ｆ６は、例えばＵＳＢ（Universal Serial Bus）などのデジタルインターフェースに準拠したインターフェース回路であり、例えばパーソナルコンピュータなどの種々の外部装置との間でデータやプログラムなどの送信／受信を行うためのものである。通信端子７は、外部装置との接続を受け付けるものである。
【００３０】
音声出力処理部８は、これに供給された音声データからスピーカ９に供給する出力用の音声信号を形成する。具体的例を示すと、音声出力処理部８は、例えば、ＡＴＲＡＣ３ｐｌｕｓ（Advanced TRansform Acoustic Coding 3 plus）形式でデータ圧縮された音楽データの供給を受けると、これをデコード処理することによりデータ圧縮前の元の音楽データに復元し、これをアナログ音声信号に変換すると共に増幅して、スピーカ９に供給する。これにより、スピーカ９からは、音声出力処理部８に供給された音声データに応じた音声が放音される。このように、音声出力処理部８は、オーディオデコーダおよびアンプ装置部としての機能を有するものである。
【００３１】
ＬＣＤドライバ１０は、ＲＡＭ３のビデオＲＡＭ領域に格納されている画像データ、あるいは、ＨＤＤ４に格納されている画像データの供給を受けて、これを後段のＬＣＤ１１に供給する画像信号に変換する。具体例を示すと、ＬＣＤドライバ１０は、例えば、ＭＰＥＧ（Moving Picture Experts Group）方式やＪＰＥＧ（Join Photographic Experts Group）方式などの所定の圧縮方式でデータ圧縮された画像データの供給を受けて、これをデコード処理することによりデータ圧縮前の元の画像データを復元し、これをアナログ画像信号に変換してＬＣＤ１１に供給する。これにより、ＬＣＤ１１の表示画面には、ＬＣＤコントローラ１０に供給された画像データに応じた画像が表示される。
【００３２】
なお、この実施の形態の端末のＬＣＤ１１は、少なくとも文字ベースの情報が表示できればよい。しかし、サムネイル画像やアイコンなどのグラフィックス画像を表示することももちろん可能である。
【００３３】
通信Ｉ／Ｆ１２、通信回路１３、送受信アンテナ１４のそれぞれは、無線接続により外部装置との間でデータの送信／受信を行うためのものである。ここで、通信Ｉ／Ｆ１２は、受信したデータを自機において処理可能な形式のデータに変換したり、自機から送信するデータを送信用の形式のデータに変換したりする処理を行う。通信回路１３は、送受信アンテナ１４を通じて受信した信号を復調して通信Ｉ／Ｆ１２に供給したり、通信Ｉ／Ｆ１２からの送信用のデータを変調して送信信号を形成し、これを送受信アンテナ１４を通じて送信したりする処理を行う。
【００３４】
これら、通信Ｉ／Ｆ１２、通信回路１３、送受信アンテナ１４のそれぞれを通じては、同種の端末との間において、あるいは、所定のネットワークを通じてサーバ装置等の外部装置との間において、無線通信により接続することができるようにされる。また、用いられる無線通信方式としては、Ｂｌｕｅｔｏｏｔｈ、ＩＥＥＥ（Institute of Electrical and Electronics Engineers）８０４．１１ｘ、ＵＷＢ（Ultra Wide Band）などの各種の無線通信方式を用いるように構成することが可能である。
【００３５】
なお、ＩｒＤＡ（Infrared Data Association）などの赤外線通信方式を用いるようにすることもできる。この場合には、送受信アンテナ１４に代えて、赤外線受光用のフォトダイオードなどの受光素子（受信用素子）と、赤外線送信用の発行ダイオードなどの発光素子（送信用素子）とを用いるようにすればよい。
【００３６】
また、上述したように、この実施の形態の端末は、無線通信によりデータの送信と受信とを行うことができるもの、すなわち、双方向に通信を行うことができるものである。一般に、通信媒体や方式は、送信系と受信系とで同一のものを用いる。しかし、これに限るものではない。
【００３７】
例えば、送信系と受信系とで赤外線通信と電波通信とを使い分けるようにしたり、送信系と受信系とでＯＦＤＭ（Orthogonal Frequency Division Multiplexing）方式やＦＭ（Frequency Modulation）方式やＣＤＭＡ（Code Division Multiple Access）方式などの通信方式を異ならせるようにしたりしてももちろんよい。すなわち、データサイズや通信レートなどの利用条件から通信媒体や通信方式を適宜組み合わせて用いるようにすることも可能である。
【００３８】
そして、この実施の形態の端末は、例えば、通信Ｉ／Ｆ６、通信端子７を通じて接続されるパーソナルコンピュータなどの外部装置から、音楽などの音声データや静止画像や動画像などの画像データの供給を受けて、これをＨＤＤ４に記録して蓄積することができるようにされている。
【００３９】
ＨＤＤ４に蓄積された音声データや画像データなどのコンテンツデータは、操作部５を通じて受け付けるユーザからの指示入力に応じて読み出され、音声データについては、音声出力処理部８、スピーカ９を通じて再生され、画像データについて、ＬＣＤドライバ１０、ＬＣＤ１１を通じて再生される。
【００４０】
そして、この実施の形態の端末は、上述もしたようにいわゆる携帯端末装置であり、小型化、軽量化が図られ、ユーザの衣服のポケットや鞄などに入れられて持ち運ばれて利用されされるものである。したがって、外出先などにおいても、音楽や画像などの種々のコンテンツを再生して利用することができるようにされる。
【００４１】
さらに、この実施の形態の端末は、上述したように、通信Ｉ／Ｆ１２、通信回路１３、送受信アンテナ１４によって、近距離無線通信機能を有するものであり、外出先などにおいて、ユーザの手を一切煩わせることなく、同種の端末との間で通信を行って、自動的にコンテンツ推薦情報を収集し、これをＨＤＤ４の所定領域に記憶保持して、ＬＣＤ１１に表示したり、あるいは、通信Ｉ／Ｆ６、通信端子７を通じて外部装置であるパーソナルコンピュータに供給したりして、収集したコンテンツ推薦情報等を利用することができるようにしている。
【００４２】
コンテンツ推薦情報は、後述もするが、例えば、発売されている音楽などのＣＤコンテンツや映画などのＤＶＤコンテンツの推薦情報である。このようなコンテンツ推薦情報が、端末間で自動的に送受することができるようにされている。したがって、この実施の形態の端末のユーザは、自己の端末を持ち歩くだけで、複数の端末からコンテンツ推薦情報の提供を受けることができる。そして、コンテンツ推薦情報は、ユーザが用いる端末間で直接にやり取りされ、実際にコンテンツを利用したユーザからの情報を直接に得ることができるようにされる。
【００４３】
このように、この実施の形態の端末は、コンテンツの提供業者側からの広告宣伝情報とは異なる、ユーザの立場からのコンテンツ推薦情報を自動的に収集し、これを利用することができるようにしている。
【００４４】
［１−２．端末の動作］
次に、図１を用いて説明したこの実施の形態の端末同士が通信を行う場合の動作の一例について説明する。以下においては、この実施の形態の端末Ａ、Ｂ間において通信を行う場合を例にして説明する。ここで、端末Ａと端末Ｂとは、いずれもこの実施の形態の端末であり、図１を用いて説明した構成と機能とを有するものである。また、これら端末Ａ、端末Ｂにより形成されるシステムは、この発明によるシステム、方法が適用されたものである。
【００４５】
この実施の形態の端末Ａと端末Ｂとのそれぞれは、ＣＰＵ１の制御に応じて、通信Ｉ／Ｆ１２、通信回路１３、通信アンテナ１４が機能し、端末固有の識別信号を間歇的に発信している。識別信号は、端末ＩＤや個人ＩＤなど、各端末を認識し、特定することができる情報である。この他、識別信号には、必要に応じて、機種名に相当するコードやこのサービス（コンテンツ推薦情報送受信サービス）を表すコードなどの必要な情報を付加することが可能である。識別信号の発信タイミングは、端末ごとに決められるため、端末毎に異なっている。
【００４６】
端末Ａ、端末Ｂのそれぞれは、識別信号を発信すると、次の発信までの間は、自機以外からの端末の識別信号の受信待ち状態となる。そして、端末Ａと端末Ｂとが所定の距離内に接近すると、端末Ａと端末Ｂとの間において自動的に通信処理が開始される。ここでは、端末Ａが自機の識別信号を発信し、それを端末Ｂが受信した場合を例にして説明する。
【００４７】
図２は、この実施の形態の端末Ａと端末Ｂとが通信を行う場合であって、端末Ａからの識別信号を端末Ｂが受信した場合において行われる通信処理のタイミングチャートである。図２に示すように、端末Ａと端末Ｂとが所定距離内に接近し、端末Ａが識別信号を送信すると、これが端末Ｂによって受信される（ステップＳ１）。
【００４８】
端末Ｂは、受信した識別信号に基づいて、受信した識別情報が自機と同種の端末から送信されたもの、あるいは、自機が加入するサービスと同じサービスに加入する端末から送信されたものであるか否かを判断する（ステップＳ２）。ステップＳ２の判断処理において、受信した識別信号が、同種の端末から送信されたものでもなく、同じサービスに加入する端末から送信されたものでもないと判断した場合には、当該受信を無視し、ＣＰＵ１は各部を制御して、他の端末からの識別信号の受信待ちとなり、その後、自機からの識別信号を送信する送信モードに遷移する。
【００４９】
ステップＳ２の判断処理において、受信した識別信号が、同種の端末から送信されたもの、あるいは、同じサービスに加入する端末から送信されたものであると判断した場合には、端末Ｂは、自機の識別信号をＡｃｋ（Acknowledge）信号として端末Ａに送信する（ステップＳ３）。
【００５０】
端末ＢからのＡｃｋ信号を受信した端末Ａは、Ａｃｋ信号を端末Ｂに送信し、これを端末Ｂは受信する（ステップＳ４）。このように、端末Ａと端末Ｂとの双方が、Ａｃｋ信号を受信することにより、端末Ａと端末Ｂとの間でコネクション（通信接続）が成立し、端末Ａと端末Ｂとの間で通信が可能となる。
【００５１】
このような通信の接続方式は、アドホックネットワーク（Ad hoc network）として知られるＩＥＥＥ８０２．１１ｘ、Ｂｌｕｅｔｏｏｔｈなどの通信接続で使用される形態をとればよく、複数の端末間でアクセスポイントの介在なしに相互に接続する形態(マルチホップ通信)が実現できる。
【００５２】
コネクション成立後、端末Ａは、自機のＨＤＤ４の送信用エリアに格納されているコンテンツ推薦情報から送信すべきコンテンツ推薦情報を選択し（ステップＳ５）、この選択したコンテンツ推薦情報を端末Ｂに送信する（ステップＳ６）。この場合、端末Ａから端末Ｂに送信される情報は、単にコンテンツ推薦情報だけではなく、コンテンツの推薦者を特定する情報である端末Ａの所有者名または固有識別ＩＤ、送信日時、送信場所などの情報も付加し、１つの情報セットとして送信するようにしている。
【００５３】
そして、端末Ｂは、端末Ａからのコンテンツ推薦情報（コンテンツ推薦情報セット）を受信し、これを自機のＨＤＤ４の受信エリアに一時保存する（ステップＳ７）。一時保存されるコンテンツ推薦情報は、上述したように、端末Ａの所有者名または固有識別ＩＤ、送信日時、送信場所、コンテンツ推薦情報が１つのセットとされたものである。その後、端末Ｂは、端末Ａに対してＡｃｋ信号を送信し（ステップＳ８）、コネクションを切断する。
【００５４】
この後、端末Ｂは、一時保存したコンテンツ推薦情報と同じ内容で、かつ同一の固有識別ＩＤの受信情報が他に格納されているか否かをチェックし、他にも同じ情報があればそのいずれかを削除する。削除する意味合いは、端末Ａ、Ｂが接近した状態で暫く留まっている場合や狭いエリア内で接近と離隔とを繰り返した場合などにおいては、図２に示した一連の推薦手順を何度も繰り返す可能性があるためである。
【００５５】
このような場合には、初めて当該コンテンツ推薦情報を提供された日時を重視するなら、最新のもの（一時保存されているコンテンツ推薦情報）を削除すればよいし、最終日時を重視するなら、最古のものを削除すればよい。また、ＨＤＤ４の記憶容量に余裕があれば削除しないで全て格納してももちろんよい。
【００５６】
この図２を用いて説明した端末同士の通信処理は、ユーザが意識しているか否かにかかわらず、自動的に行われるものである。したがって、ユーザにとっては、ＨＤＤ４に蓄積された受信情報であるコンテンツ推薦情報をアクセスして初めてコンテンツ推薦情報の存在を知ることになる。ユーザは、後刻、端末の操作部５を操作して、新たなコンテンツ推薦情報が受信されているかをチェックする。もちろん、通信端子７に接続された自宅のパーソナルコンピュータにコンテンツ推薦情報を転送して、当該パーソナルコンピュータを用いてチェックすることも可能である。
【００５７】
ユーザは、コンテンツ推薦情報に含まれる推薦者、推薦コメント等を読み、サンプルデータが添付されていればそれを再生したり、あるいは、試しに再生してみたいと思うコンテンツ（試し用）へのアクセスＵＲＬ（Uniform Resource Locator）がある場合には、当該アクセスＵＲＬを選択し、その試し用コンテンツをダウンロードして再生したりするなどのことができる。端末Ｂのユーザは、試しに再生したコンテンツが気に入れば、販売店またはネットワーク経由で当該コンテンツを購入することができる。
【００５８】
ここで、端末Ａ、端末Ｂが備えるＨＤＤ４に記憶されるコンテンツ推薦情報の一例について説明する。図３は、ＨＤＤ４に形成されるコンテンツ推薦情報に関する記憶領域と記憶される情報の具体例について説明するための図である。上述もしたように、ＨＤＤ４には、音楽データや画像データなどのコンテンツデータが記憶保持される他、送信すべきコンテンツ推薦情報を記憶保持する送信用エリア（図３Ａ）と、受信したコンテンツ推薦情報を記憶保持する受信用エリア（図３Ｂ）と、さらに、ユーザの嗜好情報を記憶保持する嗜好情報エリア（図３Ｃ）とが設けられている。
【００５９】
図３Ａに示すように、送信用エリアは、送信対象のコンテンツ推薦情報を記憶保持する部分である。この実施の形態において、ＨＤＤ４の送信エリアに記憶保持されるコンテンツ推薦情報は、推薦者の推薦コメント情報等と、推薦するコンテンツのサンプルデータの格納先を示す情報とからなっている。
【００６０】
推薦したいコンテンツがあるユーザは、自己の端末の操作部５を操作したり、あるいは、通信Ｉ／Ｆ６、通信端子７を通じて接続されるパーソナルコンピュータを操作したりすることにより、ＨＤＤ４の送信エリアに形成されるコンテンツ推薦情報の推薦コメント情報等の欄に、推薦するコンテンツの特徴や推薦理由などの種々の文字情報を入力し、サンプル欄にはサンプルデータの格納先を示す情報を入力する。
【００６１】
なお、サンプルデータの格納先を示す情報としては、サンプルデータを添付する場合にはそのファイル名などが、また、サンプルデータがインターネット上のサーバに格納されている場合には、そのアクセスＵＲＬが用いられることになる。なお、上述もしたように、送信するコンテンツ推薦情報は、図３Ａに示した情報だけでなく、送信側の端末の所有者名、送信日時、送信場所などの必要な情報を付加し、コンテンツ推薦情報セットとして送信される。
【００６２】
この場合、送信日時は、コンテンツ推薦情報を送信する端末の時計回路から取得する現在時刻を用いるようにすればよい。また、送信場所は、例えば、この端末がＧＰＳ（Global Positioning System）が搭載されたものである場合には、その情報を用いて送信場所を特定し、その特定した情報を用いるようにしたり、あるいは、ＧＰＳで検出するようにされる現在位置を示す送信場所の緯度、経度を示す情報をそのまま送信したりすることももちろん可能である。また、推薦者は、端末の所有者名を用いるようにしている。
【００６３】
このように、推薦したいコンテンツがある場合に、図３Ａに示したようなコンテンツ推薦情報を形成しておくことによって、ユーザが意識することなく、同種の端末、あるいは、コンテンツ推薦情報の送受信サービスの利用が可能とされた端末に対して、送信用エリアに格納してあるコンテンツ推薦情報を選択して送信することができるようにされる。
【００６４】
一方、コンテンツ推薦情報を受信した端末は、その受信したコンテンツ推薦情報を自己のＨＤＤ４に形成される受信用エリアに格納する。受信用エリアに格納されるコンテンツ推薦情報は、図３Ｂに示すように、送信日時、送信場所、推薦者、推薦コメント情報等、サンプルデータの格納先などの情報からなるものである。ここでは、送信側を基準に考えているが、受信側を基準とし、受信日時、受信場所を受信側の端末の情報を用いて付加するようにしたり、送信日時や送信場所と置き換えたりするなどすることも可能である。
【００６５】
これにより、コンテンツ推薦情報を受信した端末のユーザは、自己の端末に自動的に蓄積されるコンテンツ推薦情報に基づいて、好みのコンテンツを探すことができるようにされる。しかも、提供されるコンテンツ推薦情報は、実際にコンテンツデータを利用した利用者の端末から送信されるものであり、コンテンツ利用者の直接の反応を知ることができる。換言すれば、コンテンツの利用者の立場からのコンテンツ推薦情報を、不特定多数の利用者から集め、これを利用することができるようにされる。
【００６６】
なお、詳しくは後述もするが、図３Ｃに示すように、ＨＤＤ４の嗜好情報エリアに対して、コンテンツの種別とこの端末のユーザの嗜好キーワードとからなる嗜好情報を入力しておき、この嗜好情報を用いてコンテンツ推薦情報の取捨を行うことにより、ユーザの嗜好に合致したコンテンツのコンテンツ推薦情報のみを得るようにすることも可能である。したがって、必要なコンテンツ推薦情報のみを集めることもでき、端末の活用範囲を変化させ、また、拡大させることが可能である。
【００６７】
また、図３を用いて説明したコンテンツ推薦情報において、その主要情報は、推薦コメント情報とサンプルデータの格納先情報とであったが、これに限るものではない。コンテンツ推薦情報は、端末ユーザが所有するコンテンツ、例えばＣＤの楽曲、電子写真やＣＧ（Computer Graphics）などの静止画像、ＤＶＤの動画像、小説などのテキストデータのうち、ユーザが気に入っている（つまり、推薦したい）コンテンツに関する種々の情報である。
【００６８】
したがって、例えば、楽曲コンテンツの場合のコンテンツ推薦情報としては、アルバムタイトル、楽曲タイトル、アーティスト名、ジャンル、ディスク識別コード、サンプルデータ（試聴用）へのアクセスＵＲＬまたはサンプルデータ、価格、推薦コメントなどを用いることが可能であり、これらの内の端末に入力された情報が用いられることになる。
【００６９】
また、写真コンテンツ（静止画コンテンツ）の場合のコンテンツ推薦情報としては、撮影日時、場所、撮影コメント、サムネイル画像へのアクセスＵＲＬまたはサムネイル画像、価格（存在する場合のみ）、推薦コメントなどを用いることが可能であり、これらの内の端末に入力された情報が用いられることになる。また、動画コンテンツの場合のコンテンツ推薦情報としては、タイトル、ジャンル、俳優・監督の名前、ディスク識別コード、サンプルデータへのアクセスＵＲＬまたはサンプルデータ、価格、推薦コメントなどを用いることが可能であり、これらの内の端末に入力された情報が用いられることになる。
【００７０】
また、書籍コンテンツの場合のコンテンツ推薦情報としては、書名、著者、出版社、識別コード（例えばＩＳＢＮコードなど）、アクセスＵＲＬ（存在する場合のみ）、価格、推薦コメントなどなどを用いることが可能であり、これらの内の端末に入力された情報が用いられることになる。
【００７１】
これらの推薦情報は、端末のＬＣＤ１１あるいは通信端子７に接続されたパーソナルコンピュータにおいて表示されるものであるから、多くはテキストデータのまま送受信および格納されることが望ましいが、この発明においてはこれに限るものではない。種々の形式に変換して送受信したり、格納したりすることももちろん可能である。
【００７２】
また、図２を用いて説明した例の場合、端末Ａから送信されるのは少なくとも推薦コメント情報とサンプルデータの格納先を示す情報とを含んでいればよい。すなわち、所有者名または固有識別ＩＤおよび送信日時はオプション的な情報であり、使用するか否かは各端末のユーザによって設定できるようにすることも可能である。特に送信日時は送信しなくても、端末Ｂが受信した時点で、自機のタイマー（図示せず）から受信時刻を読み出してそれを受信用エリアに記録するようにしてもよい。この場合、受信時刻の意味合いの方が強くなるが、送信時刻とほぼ等価の情報となる。
【００７３】
また、上述もしたように、端末Ａ、端末Ｂが、ＧＰＳ受信機能を有するものである場合には、送信または受信時の位置情報を端末のいずれかのメモリに記録しておくことで、受信リストの参照時に便利である。ただし、緯度・経度といった数値情報のままでは不便であるので、端末あるいはデータを転送されたＰＣにおいて地図情報（地図画像へのリンク）あるいは目印となる施設名などに変換して記録するようにしてもよい。
【００７４】
送信場所などの位置情報は、例えば、携帯電話の複数の基地局からの電波を利用し、おおよその送信位置の範囲を特定して、これを用いるようにすることも可能である。すなわち、送信位置などの位置情報については、種々の方法を用いることが可能である。
【００７５】
また、図２を用いて説明した例の場合、端末Ｂのユーザは端末Ａから受信したコンテンツ推薦情報を読み、試し用コンテンツを再生してみて（あるいは購入してみて）気に入れば、新たに推薦コメントを記入して、ＨＤＤ４の送信用エリアにコンテンツ推薦情報として記録しておくことができる。なお、端末Ａから受信した推薦情報を援用して、推薦者情報のみ端末Ｂのユーザを示す情報に書き換えることで推薦情報とすることもできる。
【００７６】
［１−３．変形例１］
上述した第１の実施の形態においては、図２を用いて説明したように、端末ＡにおいてＨＤＤ４の送信用エリアに蓄積されているコンテンツ推薦情報から任意に選択したコンテンツ推薦情報を端末Ｂに向けて送信するものとして説明した。しかし、これに限るものではない。例えば、端末Ｂの所有者の嗜好に応じて、端末Ｂが受信すべきコンテンツを選択するようにすることもできる。この場合には、大別して２通りの方法がある。
【００７７】
１つ目の方法は、アドホックモードのコネクションを確立する最初の段階で、端末Ａから識別信号とともに提供したいコンテンツ推薦情報を送信し、これを受信する端末Ｂにおいては、受信した識別信号が自機と同種の端末から送信されたもの、あるいは自機が加入するサービスと同じサービスに加入する端末から送信されたものであるかを確認し、さらに受信したコンテンツ推薦情報の中に自分の嗜好情報と合致する情報が含まれているかをも確認する。
【００７８】
ここで、端末Ｂのユーザの嗜好情報は、図３Ｃを用いて説明したように、端末Ｂが備えるＨＤＤ４の嗜好情報エリアに登録されているものである。例えば、図３Ｃに示したように、端末ＢのＨＤＤ４の嗜好情報エリアには、端末Ｂのユーザが好きなアーティスト名、俳優、著者、ジャンルなどが記録されている。
【００７９】
端末Ｂにおいては、自己のＨＤＤ４に記録されている嗜好情報をキーワードとし、受信した端末Ａからのコンテンツ推薦情報の中に、キーワードのいずれかが含まれていればコネクションを確立し、受信したコンテンツ推薦情報をＨＤＤ４の受信用エリアに格納して、この後にコネクションを切断し、識別信号の受信待ちとなる。また、受信した端末Ａからのコンテンツ推薦情報の中に、キーワードのいずれかが含まれていなければ、コネクションを確立することなく、また、受信したコンテンツ推薦情報をＨＤＤ４の受信用エリアに格納することなく、識別信号の受信待ちとなる。
【００８０】
なお、ここでは、コネクションを確立する最初の段階でコンテンツ推薦情報を送受するものとして説明したが、これに限るものではない。例えば、推薦コメント情報やコンテンツの種別を示す情報等、端末Ｂにおいて行われるキーワードとの比較に用いることが可能ないくつかの情報をコネクションを確立する最初の段階で端末Ａから端末Ｂに送信する。
【００８１】
そして、端末Ｂにおいて、自己のＨＤＤ４に記録されている嗜好情報をキーワードとし、受信した端末Ａからの情報の中に、キーワードのいずれかが含まれていればコネクションを確立し、端末Ａからコンテンツ推薦情報の残りの情報、あるいは、コンテンツ推薦情報の１セット分全部の提供を受け、これらをＨＤＤ４の受信用エリアに格納して、コネクションを切断し、識別信号の受信待ちとなるようにしてもよい。
【００８２】
なお、図３Ｃに示した嗜好情報では、コンテンツ種別という項目を設けている。これは、「“山”の“写真”を推薦して欲しい」のに「タイトルやアーティスト名に“山”が含まれる“音楽”を推薦されてしまった」ということを避けるためには必要となる。この場合、送信されるコンテンツ推薦情報に、コンテンツの種別を示す情報が付加されていれば、送信されてきたコンテンツ推薦情報のコンテンツの種別を示す情報と、嗜好情報エリアに記憶されている情報のコンテンツ種別とを比較することにより、取得すべきコンテンツ推薦情報か否かを簡単かつ正確に判別することができる。
【００８３】
２つ目の方法は、コネクション確立後に、端末Ａがコンテンツ推薦情報を送信し、上記と同様に端末Ｂに記録されている嗜好情報と合致する情報が含まれているかを確認する。含まれていれば推薦情報を一時保存し、含まれていなければ一時保存せずにコネクションを切断するというようにしてもよい。
【００８４】
また、コネクションの確立後において、例えば、推薦コメント情報やコンテンツの種別を示す情報等、端末Ｂにおいて行われるキーワードとの比較に用いることが可能ないくつかの情報を端末Ａから端末Ｂに送信する。そして、端末Ｂにおいて、自己のＨＤＤ４に記録されている嗜好情報をキーワードとし、受信した端末Ａからの情報の中に、キーワードのいずれかが含まれていれば、コンテンツ推薦情報の残りの情報の提供を受け、これらを１まとまりのコンテンツ推薦情報としてＨＤＤ４の受信用エリアに格納して、コネクションを切断し、識別信号の受信待ちとなるようにしてもよい。
【００８５】
このように、端末Ｂは自己のＨＤＤ４に記録された嗜好情報に合致するコンテンツ推薦情報のみの提供を端末Ａから受けるようにすることができるようにされる。すなわち、端末Ｂのユーザは自己の嗜好にあったコンテンツのコンテンツ推薦情報のみの提供を受けることができる。
【００８６】
［１−４．変形例２］
図２を用いて説明した第１の実施の形態の場合には、端末Ａが積極的にコンテンツ推薦情報を発信するようにした。しかし、コンテンツ推薦情報の提供を受けたい端末に対してのみコンテンツ推薦情報を提供すれば十分な場合もある。この変形例２は、コンテンツ推薦情報の提供を要求してきた端末に対してのみ、コンテンツ推薦情報を提供する場合の例であり、いわゆるオンデマンド方式でコンテンツ推薦情報の提供を行うようにするものである。
【００８７】
図４は、端末Ｂの要求に応じて端末Ａが推薦情報を提供する場合について説明するためのタイミングチャートである。この例においても、端末Ａがコンテンツ推薦情報を提供する側であり、端末Ｂがコンテンツ推薦情報の提供を受ける側であるとする。端末Ａと端末Ｂとが所定距離内に接近し、端末Ｂが識別信号を送信すると、これが端末Ａによって受信される（ステップＳ１１）。
【００８８】
端末Ａは、受信した識別信号に基づいて、受信した識別情報が自機と同種の端末から送信されたもの、あるいは、自機が加入するサービスと同じサービスに加入する端末から送信されたものであるか否かを判断する（ステップＳ１２）。ステップＳ１２の判断処理において、受信した識別信号が、同種の端末から送信されたものでもなく、同じサービスに加入する端末から送信されたものでもないと判断した場合には、当該受信を無視し、ＣＰＵ１は各部を制御して、他の端末からの識別信号の受信待ちとなり、その後、自機からの識別信号を送信する送信モードに遷移する。
【００８９】
ステップＳ１２の判断処理において、受信した識別信号が、同種の端末から送信されたもの、あるいは、同じサービスに加入する端末から送信されたものであると判断した場合には、端末Ａは、自機の識別信号をＡＣＫ（Acknowledge）信号として端末Ｂに送信する（ステップＳ１３）。
【００９０】
端末ＡからのＡＣＫ信号を受信した端末Ｂは、ＡＣＫ信号を端末Ａに送信し、これを端末Ａは受信する（ステップＳ１４）。このように、端末Ａと端末Ｂとの双方が、Ａｃｋ信号を受信することにより、端末Ａと端末Ｂとの間でコネクションが成立し、端末Ａと端末Ｂとの間で通信が可能となる。
【００９１】
そして、端末Ｂは、自機のＨＤＤ４の嗜好情報エリアに格納されている嗜好情報を端末Ａに向けて送信する（ステップＳ１５）。このとき、嗜好情報エリアの全データを送信してもよいが、その一部を送信するようにしてもよい。嗜好情報エリアの一部の嗜好キーワード（１つ、あるいは少数）の選択は、まったくのランダムにすることもできるし、事前に端末Ｂのユーザが意図して選択しておいてもよい。もちろん、その中間的な組み合わせも可能である。
【００９２】
端末Ｂからの嗜好情報を受信した端末Ａは、自機のＨＤＤ４の送信用エリアのコンテンツ推薦情報をサーチして、その中に１つでも受信した端末Ｂからの嗜好情報の嗜好キーワードに合致するものがあるか否かをチェックする（ステップＳ１６）。このステップＳ１６の判断処理において、受信した端末Ｂからの嗜好キーワードに合致するコンテンツ推薦情報がないと判断した場合には、端末ＡのＣＰＵ１は、端末Ｂとの間のコネクションを切断する処理を行う。
【００９３】
ステップＳ１６の判断処理において、合致するものがあると判断した場合には、端末ＡのＣＰＵ１は、ＨＤＤ４の送信用エリアからその合致するコンテンツ推薦情報を選択し（ステップＳ１７）、そのコンテンツ推薦情報を端末Ｂに対して送信する（ステップＳ１８）。
【００９４】
端末Ｂは、端末Ａからコンテンツ推薦情報が送信されてきた場合には、これを受信して、自己のＨＤＤ４の受信用エリアに格納する（ステップＳ１９）。この後、端末Ｂは、端末Ａに対して、Ａｃｋ信号を送信し、これを端末Ａが受信して（ステップＳ２０）、端末Ａと端末Ｂとの間のコネクションが切断される。
【００９５】
なお、この変形例２においても、前述の変形例１と同様に、コネクションを確立する工程において端末Ｂが嗜好キーワードを含めて識別情報を送信して、この工程において端末Ａが自機の送信用エリアに合致する推薦情報があるかチェックし、あればコネクションを確立するようにしてもよい。
【００９６】
［１−５．変形例３］
なお、図２を用いて説明した実施の形態において、端末Ｂは、端末Ａから推薦情報を供与され、ＨＤＤ４に保存するとコネクションを切断していた。しかし、これに限るものではない。コンテンツ推薦情報の提供を受けた端末Ｂが、端末Ａとの間のコネクションを切断する前に、自機のＨＤＤ４の送信用エリアに格納されるコンテンツ推薦情報の少なくとも１つを選択して、これを端末Ａに送信するようにしてもよい。
【００９７】
このようにすることによって、上述した例の場合、コンテンツ推薦情報の提供は端末Ａから端末Ｂへの一方向の提供が、端末Ａと端末Ｂとの間で双方向に行うことが可能となる。したがって、コンテンツ推薦情報の提供を受けたら、その提供元に対して他のコンテンツ推薦情報を提供するという、所謂「お返し」を行うことがコミュニケーション環境を実現することができる。換言すれば「give and take」の精神に則り、双方向に対等なコミュニケーション環境を整えることができる。
【００９８】
なお、上述した変形例１〜３のいずれの場合も、結果的に端末Ａのユーザと端末Ｂのユーザは少なくとも１つの嗜好キーワードを共有する“同好の士”であることがわかる。しかし、複数の嗜好キーワードを送信している場合は、どの嗜好キーワードで合致したかわかると、その推薦者との新たなコミュニケーションが促進される可能性が生まれる。
【００９９】
したがって、コンテンツ推薦情報の提供元、上述した例の場合には端末Ａからコンテンツ推薦情報を送信する際には、適合した嗜好キーワードがわかるように、例えば強調文字にしたり、色付けしたり、引用符で括るなど、他の情報と区別がつくようにすることが望ましい。端末Ｂのユーザは、提供されたコンテンツ推薦情報を構成する１つの項目である“推薦者”に記載された推薦者（端末Ａのユーザ）にアクセス・リンク（E-mailアドレスやHome Page URL）が張られている場合には、推薦者にコンテンツの感想その他のコメントを送ることも可能とされる。
【０１００】
なお、図２を用いて説明した通信シーケンスの場合には、端末Ａがコンテンツ推薦情報を提供する提供元通信端末となり、端末Ｂがコンテンツ推薦情報の提供を受ける提供先通信端末となった場合を例にして説明したが、端末Ｂがコンテンツ推薦情報を提供する提供元通信端末となり、端末Ａがコンテンツ推薦情報の提供を受ける提供先通信端末となる場合ももちろんある。
【０１０１】
また、図２を用いて説明した場合のように、通信路のコネクションが確立した場合に、識別信号を送信した側がコンテンツ推薦情報の提供元となるのではなく、識別情報を受信した側がコンテンツ推薦情報の提供元となるように通信シーケンスを設定するようにすることももちろん可能である。
【０１０２】
また、図４を用いて説明した通信シーケンスの場合には、端末Ａがコンテンツ推薦情報を提供する提供元通信端末となり、端末Ｂがコンテンツ推薦情報の提供を受ける提供先通信端末となった場合を例にして説明したが、端末Ｂがコンテンツ推薦情報を提供する提供元通信端末となり、端末Ａがコンテンツ推薦情報の提供を受ける提供先通信端末となる場合ももちろんある。
【０１０３】
また、図４を用いて説明した場合のように、通信路のコネクションが確立した場合に、識別信号を送信した側がコンテンツ推薦情報の提供先となるのではなく、識別情報を送信した側がコンテンツ推薦情報の提供元となるように通信シーケンスを設定するようにすることももちろん可能である。
【０１０４】
すなわち、上述した実施の形態においての通信シーケンスは一例であり、用いる通信方式や通信プロトコル、あるいは、通信環境等に応じて通信路の接続シーケンスは種々の態様を用いることが可能である。そして、通信路が接続された通信端末間において、少なくとも一方の端末から他方の端末にコンテンツ推薦情報の提供が行われるようにすればよい。また、上述もしたように、通信路が接続された場合に、相互にコンテンツ推薦情報を提供し合うようにすることももちろん可能である。
【０１０５】
［２．第２の実施の形態（サービススポットから推薦情報の供与を受ける）］
上述した第１の実施の形態においては、この発明が適用された端末同士でコンテンツ推薦情報の送受を行うようにしたのに対して、この第２の実施の形態においては、サービススポットにおけるサーバ装置と端末との間でコンテンツ推薦情報の送受を行うようにするものであり、この発明による他のシステム、方法が適用されたものである。
【０１０６】
すなわち、上述した第１の実施の形態においてのいずれかの端末（例えば端末Ａ）をサービススポットにおけるサーバ装置に置き換え、このサーバ装置と端末Ｂとの間で通信を行うようにすることで実現できる。この場合、サーバ装置は、音声や映像の再生系は必要ないため、図１に示した端末装置における音声処理部８、スピーカ９、ＬＣＤドライバ１０、ＬＣＤ１１を備えない構成となるものである。また、この第２の実施の形態で用いられる端末Ｂは、図１に示した構成を有する端末と同様に構成され、同様の機能を有するものである。
【０１０７】
なお、ここで言う“サービススポット”とは各種の情報を利用者または会員に提供する場所のことで、端末に対してコンテンツ推薦情報を提供するサーバ装置が設置され、このサーバ装置との間で通信を行うことが可能な所定のエリアを言う。具体的にサービススポットは、ＣＤ/ＤＶＤショップ・ブックストアなど商業施設、観光地・アトラクション施設・美術館・博物館・映画館、喫茶店・ホテルのロビー、その他公共施設など、種々の場所に設けられる。
【０１０８】
そして、サービススポットにおいては、設置されたサーバ装置を通じ、ユーザの端末に対してコンテンツ推薦情報を提供し、端末はこれを受信して自機のＨＤＤ４に格納する。端末のＨＤＤ４に格納されたコンテンツ推薦情報は、後刻、ユーザの指示に応じて再生することにより、当該端末のユーザは推薦されたコンテンツについての情報を得て、当該コンテンツを購入するか否かの判断に利用することができる。したがって、サービススポットのサーバ装置から各端末に提供されるコンテンツ推薦情報によって、コンテンツを購入しやすくするように誘導することができる。
【０１０９】
図５は、この第２の実施の形態において、サーバ装置と端末Ｂとの間で行われる通信処理を説明するためのタイミングチャートである。ここでは、サービススポットに設置されたサーバ装置と端末Ｂとの間の通信処理を例にして説明する。端末Ｂは、間歇的に、この端末Ｂ固有の識別信号を発信している（ステップＳ２１）。識別信号の発信と発信との間においては、サーバ装置からの情報の受信待ち状態となる。
【０１１０】
一方、サーバ装置は、会員の端末からの信号の受信待ちをしており、着信を検出すると、正規会員からの識別信号か否かを判断する（ステップＳ２２）。ここで、正規会員か否かのチェックは、サーバ装置が備えるＨＤＤ４に形成された会員データベースに正規会員として登録された識別信号を有するものか否かを判断することにより行うことができる。
【０１１１】
ステップＳ２２の判断処理において、受信した識別信号が正規会員のものであると判断したときには、当該受信は無視し、識別信号の受信待ちとなる。また、ステップＳ２２の判断処理において、受信した識別信号が正規会員のものであると判断したときには、サーバ装置は、Ａｃｋ信号を形成して識別信号の送信元の端末Ｂに送信し（ステップＳ２３）、これを端末Ｂが受信する。これに応じて端末Ｂは、Ａｃｋ信号を形成し、これをサーバ装置に送信し（ステップＳ２４）、サーバ装置は、これを受信して、コネクションを成立させる。
【０１１２】
コネクション成立後、サーバ装置のＣＰＵ１は、端末Ｂの嗜好にマッチするコンテンツ推薦情報が自己のＨＤＤ４に蓄積されているか否かを判断する（ステップＳ２５）。このステップＳ２５の判断処理においては、サーバ装置のＣＰＵ１は、自己のＨＤＤ４に格納されている会員データベースの当該端末Ｂの会員の嗜好情報に基づいて行う処理である。
【０１１３】
ステップＳ２５の判断処理において、端末Ｂのユーザの嗜好に合致したコンテンツ推薦情報がないと判断した場合には、サーバ装置のＣＰＵ１は、接続した端末Ｂとの間のコネクションを切断する処理を終了させる。ステップＳ２５の判断処理において、端末Ｂのユーザの嗜好に合致したコンテンツ推薦情報が存在すると判断したときには、サーバ装置のＣＰＵ１は、自己のＨＤＤ４の送信用エリアに格納されているコンテンツ推薦情報の内、端末Ｂのユーザの嗜好に合致する情報を選択し（ステップＳ２６）、この選択したコンテンツ推薦情報を端末Ｂに送信し（ステップＳ２７）、これを端末Ｂが受信して、自機のＨＤＤ４に保存する（ステップＳ２８）。
【０１１４】
この後、端末Ｂは、Ａｃｋ信号を形成して、サーバ装置に送信し（ステップＳ２９）、これをサーバ装置が受信して、サーバ装置と端末Ｂとの間に接続したコネクションを接続して、通信を終了する。
【０１１５】
なお、図５においては、サーバ装置と端末Ｂとが１対１のアドホックモードで通信を行うものとして説明した。アドホックモードでは、ある時刻では端末Ｂに対してコネクションを張り、コンテンツ推薦情報を供与し、そのコネクション切断後に次の端末Ｃに対して同様に対応していく。つまり、多数の端末がサービススポットに存在する場合でも、順次１台１台に対してサービスを行っていく方法である。
【０１１６】
このとき注意すべきは、端末Ｂはコンテンツ推薦情報を供与されたとしても、次のプロセスとしてサーバ装置からの識別信号の受信待ち状態になっているので、何度も同じことを繰り返す可能性がある。これをそのまま何度も繰り返すと、他の端末Ｃ、Ｄ、Ｅ、‥‥に対するサービスの機会が減ってしまい、サービス提供者・ユーザ双方にとって満足が得られなくなる。
【０１１７】
これを解消するため、端末Ｂでは、推薦情報を受信しＨＤＤ４に記録し、コネクションを切断した後に、すぐに識別信号の受信待ち状態に復帰するのではなく、例えば１０分間は受信待ち状態とならないようにすればよい。あるいは、サーバ装置側での対処として、識別信号を受信した端末Ｂはサーバ装置へのＡｃｋ信号に自機の識別ＩＤを含めて送信するようにし、サーバは所定の期間内（例えば１０分以内）に再度同じ識別ＩＤを含むＡｃｋ信号を受信した場合にはコネクションを切断するようにしてもよい。
【０１１８】
また、１対１通信を行うアドホックモードを用いるのではなく、サーバ装置に対して多数の端末が同時に通信を行えるようにする１対多の通信モードで通信を行うようにすることももちろんできる。１対多の通信モードを用いて、この第２の実施の形態のサービスを提供するには、インターネットのマルチキャストまたはブロードキャストのように、サーバ装置が不特定多数の端末に対して間歇的に識別信号を発信し、これに呼応する端末の識別ＩＤを受け付け、個々の端末に対して上記同様にコンテンツ推薦情報を供与するようにすることもできる。
【０１１９】
また、図５を用いて上述したように、サービススポットのサーバ装置が備えるＨＤＤ４に形成された会員データベースに、端末ＩＤや個人ＩＤなどの識別信号と共に、その会員の嗜好情報が予め格納されていることによって、端末からは識別信号をサーバ装置に送信するだけで、各端末の嗜好に応じてコンテンツ推薦情報を提供することができる。
【０１２０】
また、一種の個人情報である嗜好情報を端末からサーバ装置に随時送信しなくてもよいので、送信する情報を抑制することができると共に、信頼性を向上させることができる。また、端末からサーバ装置に対して、端末ＩＤや個人ＩＤを識別信号として直接的に送信しなくとも、例えば、サーバ装置を運用するサービス提供者から各会員の端末装置に配布される識別コードをキー情報として用いて、端末ＩＤや個人ＩＤを暗号化し、これを識別信号として送信するなどの対応を取ることによって、より安全にサービスを享受できる。なお、識別コードが一意に決まるものであれば識別コードだけを送信するようにもできる。
【０１２１】
また、サーバ装置に記録されている嗜好情報の更新は、例えば、自宅のパーソナルコンピュータを用い、インターネットなどのネットワークを通じてサービスサイトにアクセスして行うようにすることができる。したがって、文字入力が不便であったり、メモリ容量に制約があったりする携帯電話端末のような端末であっても、この発明を適用することができる。
【０１２２】
また、上述した第２の実施の形態においては、端末からサーバ装置に対して識別信号を送信してアクセスを行うことにより通信路を接続するようにしたが、これに限るものではない。サーバ装置から応答要求を送信して、これを受信して応答してきた端末との間に通信路を接続し、コンテンツ推薦情報の提供を行うようにすることももちろんできる。
【０１２３】
すなわち、上述した第２の実施の形態においての通信シーケンスは一例であり、用いる通信方式や通信プロトコル、あるいは、通信環境等に応じて通信路の接続シーケンスは種々の態様を用いることが可能である。また、端末からユーザの最新の嗜好情報をサーバ装置に送信し、サーバ装置の情報を更新するとともに、その最新の嗜好情報に応じたコンテンツ推薦情報の提供を行うようにするようにすることも可能である。
【０１２４】
そして、上述した第１、第２の実施の形態において、端末のユーザは、自己の端末を持ち歩くだけで、自己の端末のＨＤＤなどの記憶部に通信処理を行ったことを示すいわゆるログ情報を蓄積することができる。この蓄積したログ情報には、上述もしたように、コンテンツ推薦情報が含まれるようにされており、多数の端末からのコンテンツ推薦情報を自動的に収集することができる。
【０１２５】
そして、コンテンツ推薦情報の提供を受けた端末においては、入手したコンテンツ推薦情報を、後刻／後日、端末のディスプレイまたはパーソナルコンピュータのディスプレイに表示したり、推薦コメントやサンプルデータ（サンプル・コンテンツ）を再生させたりすることができるので、これらの情報を推薦されたコンテンツを購入するか否かの有効な判断材料とすることができる。したがって、好みのコンテンツを簡単かつ確実に見つけ出し、これを容易に購入するなどのことができる。
【０１２６】
また、端末利用者の嗜好情報に応じたコンテンツ推薦情報を得ることもでき、個人向けにカスタマイズされた推薦情報の送受を行うようにすることができる。
【０１２７】
また、入手した推薦コメントやサンプルデータなどを自らの推薦情報として、さらに他人に提供することができ、大規模な“口コミ”販売促進効果が期待できる。
【０１２８】
なお、上述した実施の形態において、端末Ａ、端末Ｂのそれぞれは、コンテンツ推薦情報の送受を行うものの、通常時は、端末ＩＤや個人ＩＤなどの情報量が小さな識別信号を間歇的に送信すると共に、識別信号の送信と送信の間においては、他の端末からの識別信号の受信を行うだけであるので、消費電力も少なくて済み、比較的に長時間にわたって、コンテンツ推薦情報の収集を行うことができる。
【０１２９】
また、上述した実施の形態において、端末Ａ、端末Ｂは携帯端末装置であるものとして説明したがこれに限るものではない。例えば、車載用の通信装置等にもこの発明を適用することができる。
【０１３０】
車載用の通信装置等にこの発明を適用した場合には、例えば、信号待ちをしている場合に、他の自動車に搭載された通信装置との間で通信路を接続し、コンテンツ推薦情報の送受を行うようにしたり、ガソリンスタンドに設置されたサーバ装置との間に通信路を接続し、サーバ装置から通信装置に対してコンテンツ推薦情報を提供したりするなどのことができるようにされる。
【０１３１】
また、有料道路の入り口ゲートにおいて、当該有料道路の交通情報を各自動車に搭載された通信装置に送信し、当該通信装置において、ナビゲーションシステムの表示画面に表示して確認したり、音声情報として出力して聴取できるようにしたりするなどのことができる。また、有料道路の出口ゲートにおいて、当該出口ゲート付近の地図情報を各自動車に搭載された通信装置に送信し、当該通信装置において、ナビゲーションシステムの表示画面に表示して確認できるようにするなどのことも可能となる。
【０１３２】
近年においては、ＥＴＣ（Electronic Toll Collection）と呼ばれる無線通信による自動料金収受システムが利用されるようになってきているが、これを利用し、料金情報の収受の情報だけでなく、交通情報、地図情報、名所旧跡案内情報、名産品情報など各自動車に搭載された通信端末、あるいは、ユーザ画携帯する通信端末に提供し、これを利用できるようにすることも可能である。
【０１３３】
このように、この実施の形態において、コンテンツ推薦情報は、音楽や映画などのいわゆるデジタルコンテンツの推薦情報だけでなく、交通情報、地図情報など、ユーザの利用する通信端末に送信すべき種々の情報も広い意味でのコンテンツ推薦情報である。この場合にも、詳細な情報が必要であれば別途取得するようにすればよい。
【０１３４】
また、コンテンツ推薦情報は、例えば、食品、電子機器、書籍、スポーツ用品、日用品などの種々の商品の使用や購入を促すような情報であってもよい。すなわち、コンテンツ推薦情報は、端末ユーザにとって有用な情報や物などについての種々の情報を提供するための種々のものが含まれる。
【０１３５】
また、ノート型のパーソナルコンピュータ、ＰＤＡ（Personal Digital Assistant）などと呼ばれる携帯情報端末、携帯電話端末、その他の各種の携帯用情報機器、車載用ＧＰＳシステム、車載用音響装置等の車載用の各種の情報処理装置にこの発明を適用することができる。
【図面の簡単な説明】
【０１３６】
【図１】この発明の一実施の形態が適用された端末を説明するためのブロック図である。
【図２】図１に示した構成を有するこの実施の形態の端末Ａと端末Ｂとが通信を行う場合であって、端末Ａからの識別信号を端末Ｂが受信した場合において行われる通信処理のタイミングチャートである。
【図３】ＨＤＤ４に形成されるコンテンツ推薦情報に関する記憶領域と記憶される情報の具体例について説明するめの図である。
【図４】端末Ｂの要求に応じて端末Ａが推薦情報を提供する場合について説明するためのタイミングチャートである。
【図５】この第２の実施の形態において、サーバ装置と端末Ｂとの間で行われる通信処理を説明するためのタイミングチャートである。
【符号の説明】
【０１３７】
１…ＣＰＵ、２…ＲＯＭ、３…ＲＡＭ、４…ＨＤＤ（ハードディスクドライブ）、５…操作部、６…通信インターフェース（以下、通信Ｉ／Ｆと略称する。）、７…通信端子、８…音声出力処理部、９…スピーカ、１０…ＬＣＤドライバ１０、１１…ＬＣＤ、１２…通信インターフェース、１３…通信回路、１４…送受信アンテナ、１５…ＣＰＵバス
【図１】
2006276943.tif 000003
【図２】
2006276943.tif 000004
【図３】
2006276943.tif 000005
【図４】
2006276943.tif 000006
【図５】
2006276943.tif 000007
【手続補正書】
【提出日】平成18年4月6日(2006.4.6)
【手続補正１】
【補正対象書類名】特許請求の範囲
【補正対象項目名】全文
【補正方法】変更
【補正の内容】
【特許請求の範囲】
【請求項１】
相互接続された第１および第２の通信機器間において、コンテンツ推薦情報を送受するようにするコンテンツ推薦システムであって、
前記第１の通信機器は、
送信すべきコンテンツ推薦情報を記憶する記憶手段と、
前記記憶手段に記憶されている前記コンテンツ推薦情報の中から送信すべきコンテンツ推薦情報を選択する選択手段と、
前記選択手段により選択された前記コンテンツ推薦情報を前記第２の通信機器に対して送信する送信手段と
を備え、
前記第２の通信機器は、
前記第１の通信機器からの前記コンテンツ推薦情報を受信する受信手段と、
前記受信手段を通じて受信した前記コンテンツ推薦情報を記憶保持する記憶手段と
を備えることを特徴とするコンテンツ推薦システム。
【請求項２】
請求項１に記載のコンテンツ推薦システムであって、
前記第２の通信機器は、
ユーザのコンテンツについての嗜好情報を送信する送信手段を備え、
前記第１の通信機器は、
前記第２の通信機器からの前記嗜好情報を受信する受信手段を備え、
前記第１の通信機器の前記選択手段は、前記受信手段を通じて受信した前記嗜好情報に合致する前記コンテンツ推薦情報を選択する
ことを特徴とするコンテンツ推薦システム。
【請求項３】
請求項１に記載のコンテンツ推薦システムであって、
前記第２の通信機器は、
自己の識別情報を前記第１の通信機器に送信する送信手段を備え、
前記第１の通信機器は、
前記第２の通信機器の識別情報と、前記識別情報により特定される前記第２の通信機器のユーザのコンテンツに対する嗜好情報とを関連付けて記憶保持する嗜好情報格納手段と、
前記第２の通信機器から送信される識別情報を受信する受信手段と
を備え、
前記第１の通信機器の前記選択手段は、前記受信手段によって受信された前記識別情報に対応して前記嗜好情報格納手段に格納されている嗜好情報を抽出し、この嗜好情報に合致するコンテンツ推薦情報を選択する
ことを特徴とするコンテンツ推薦システム。
【請求項４】
請求項１に記載のコンテンツ推薦システムであって、
前記第２の通信機器は、
前記受信手段を通じて受信したコンテンツ推薦情報と同じ情報が、前記記憶手段に格納されているコンテンツ推薦情報の中にないとき、受信したコンテンツ推薦情報を前記記憶手段に記憶保持するよう制御する記憶制御手段を
備えることを特徴とするコンテンツ推薦システム。
【請求項５】
他の機器との間で通信を行うための通信手段と、
送信すべきコンテンツ推薦情報を記憶保持する送信情報記憶手段と、
前記送信情報記憶手段に記憶保持されている前記コンテンツ推薦情報の中から送信すべきコンテンツ推薦情報を選択する選択手段と、
前記選択手段により選択された前記コンテンツ推薦情報を、前記通信手段を通じて前記他の機器に送信するようにする送信制御手段と、
を備えることを特徴とする通信端末。
【請求項６】
請求項５に記載の通信端末であって、
前記他の機器からの嗜好情報を受信する受信手段を備え、
前記選択手段は、前記受信手段を通じて受信した前記嗜好情報に合致する前記コンテンツ推薦情報を選択する
ことを特徴とする通信端末。
【請求項７】
請求項５に記載の通信端末であって、
前記通信手段を通じて自機に対するコンテンツ推薦情報を受信したとき、これを記憶保持する受信情報記憶手段と
を備えることを特徴とする通信端末。
【請求項８】
請求項７に記載の通信端末であって、
前記通信手段を通じて受信したコンテンツ推薦情報と同じ情報が、前記受信情報記憶手段に格納されているコンテンツ推薦情報の中にないとき、受信したコンテンツ推薦情報を前記受信情報記憶手段に記憶保持するよう制御する記憶制御手段を
を備えることを特徴とする通信端末。
【請求項９】
請求項５に記載の通信端末であって、
前記他機の識別情報と、前記他機のユーザのコンテンツに対する嗜好情報とを関連付けて記憶保持している識別情報記憶手段と、
を備え、
前記選択手段は、前記通信手段を通じて前記他機の識別情報を受信したとき、この識別情報に基づいて前記識別情報記憶手段から嗜好情報を取り出し、前記送信情報記憶手段に記憶保持されている前記コンテンツ推薦情報の中から、取り出した前記嗜好情報に合致するコンテンツ推薦情報を選択する
ことを特徴とする通信端末。
【請求項１０】
コンテンツ推薦情報を記憶保持すると共に、相互接続可能な通信端末の識別情報と、前記識別情報により特定される通信端末のユーザのコンテンツに対する嗜好情報とを関連付けて記憶保持しているサーバ装置から、前記コンテンツ推薦情報の提供を受ける通信端末であって、
自機の識別情報を前記サーバ装置に送信する識別情報送信手段と、
自機に対するコンテンツ推薦情報を受信する推薦情報受信手段と、
前記推薦情報受信手段を通じて受信した前記コンテンツ推薦情報を記憶保持する受信情報記憶手段と
を備えることを特徴とする通信端末。
【請求項１１】
相互接続された第１および第２の通信機器間において、コンテンツ推薦情報を送受するようにするコンテンツ推薦方法であって、
前記第１の通信機器において、
自己が記憶保持するコンテンツ推薦情報の中から、送信すべきコンテンツ推薦情報を選択する選択ステップと、
前記選択ステップにおいて選択された前記コンテンツ推薦情報を前記第２の通信機器に送信する送信ステップと、
前記第２の通信機器において、
前記第１の通信機器からの前記コンテンツ推薦情報を受信する受信ステップと、
前記受信ステップにおいて受信した前記コンテンツ推薦情報を記憶手段に記録する記録ステップと、
を有することを特徴とするコンテンツ推薦方法。
【手続補正２】
【補正対象書類名】明細書
【補正対象項目名】０００８
【補正方法】変更
【補正の内容】
【０００８】
上記課題を解決するため、請求項１に記載の発明のコンテンツ推薦システムは、
相互接続された第１および第２の通信機器間において、コンテンツ推薦情報を送受するようにするコンテンツ推薦システムであって、
前記第１の通信機器は、
送信すべきコンテンツ推薦情報を記憶する記憶手段と、
前記記憶手段に記憶されている前記コンテンツ推薦情報の中から送信すべきコンテンツ推薦情報を選択する選択手段と、
前記選択手段により選択された前記コンテンツ推薦情報を前記第２の通信機器に対して送信する送信手段と
を備え、
前記第２の通信機器は、
前記第１の通信機器からの前記コンテンツ推薦情報を受信する受信手段と、
前記受信手段を通じて受信した前記コンテンツ推薦情報を記憶保持する記憶手段と
を備えることを特徴とする。
【手続補正３】
【補正対象書類名】明細書
【補正対象項目名】０００９
【補正方法】変更
【補正の内容】
【０００９】
この請求項１に記載の発明のコンテンツ推薦システムによれば、第１の通信機器の記憶手段に記憶されているコンテンツ推薦情報の内、選択手段によって送信する情報として選択されたコンテンツ推薦情報が送信手段を通じて送信され、相互接続されている第２の通信機器に提供される。一方、第２の通信機器においては、受信手段によって第１の通信機器からのコンテンツ推薦情報が受信され、これが記憶手段に記憶される。
【手続補正４】
【補正対象書類名】明細書
【補正対象項目名】００１０
【補正方法】変更
【補正の内容】
【００１０】
このように、通信機器のユーザが複雑な操作などを一切行うことなく、ユーザは自己の通信機器を持って移動するだけで、複数の通信機器からコンテンツ推薦情報の提供を受け、また、複数の通信機器に対してコンテンツ推薦情報を提供することができるという、コンテンツ推薦情報の新たな提供形態を実現することができる。そして、コンテンツを実際に利用したユーザのコンテンツ推薦情報を通信機器間で取得できるようにし、これを新たなコンテンツを購入などして取得するか否かを判断する上で有効な情報として利用することができるようにされる。
【手続補正５】
【補正対象書類名】明細書
【補正対象項目名】００１１
【補正方法】変更
【補正の内容】
【００１１】
また、請求項２に記載の発明のコンテンツ推薦システムは、請求項１に記載のコンテンツ推薦システムであって、
前記第２の通信機器は、
ユーザのコンテンツについての嗜好情報を送信する送信手段を備え、
前記第１の通信機器は、
前記第２の通信機器からの前記嗜好情報を受信する受信手段を備え、
前記第１の通信機器の前記選択手段は、前記受信手段を通じて受信した前記嗜好情報に合致する前記コンテンツ推薦情報を選択する
ことを特徴とする。
【手続補正６】
【補正対象書類名】明細書
【補正対象項目名】００１２
【補正方法】変更
【補正の内容】
【００１２】
この請求項２に記載の発明のコンテンツ推薦システムによれば、第２の通信機器の送信手段を通じて、第１の通信機器に対して第２の通信機器のユーザのコンテンツに対する嗜好情報が送信される。この嗜好情報は第１の通信機器の受信手段によって受信され、この嗜好情報に合致するコンテンツ推薦情報が記憶手段から選択されて、第２の通信機器に提供するようにされる。
【手続補正７】
【補正対象書類名】明細書
【補正対象項目名】００１３
【補正方法】変更
【補正の内容】
【００１３】
これにより、第２の通信機器に対しては、当該第２の通信機器のユーザの嗜好に合致したコンテンツ推薦情報を提供することができる。すなわち、第２の通信機器のユーザの嗜好にあったコンテンツのコンテンツ推薦情報を的確に提供することができ、ユーザの欲しない無駄なコンテンツ推薦情報を提供することを防止することができるようにされる。
【手続補正８】
【補正対象書類名】明細書
【補正対象項目名】００１４
【補正方法】変更
【補正の内容】
【００１４】
また、請求項１に記載の発明のコンテンツ推薦システムを、第１の通信機器としてサーバ装置を用い、第２の通信機器として通信端末を用いて形成するコンテンツ推薦システムに適用することができる。
【手続補正９】
【補正対象書類名】明細書
【補正対象項目名】００１５
【補正方法】変更
【補正の内容】
【００１５】
例えば、所定のサービススポットにサーバ装置が設置するようにされ、このサーバ装置の記憶手段に記憶されているコンテンツ推薦情報が選択手段により選択され、送信手段を通じて通信の相手先である通信端末に対して送信される。通信端末の受信手段は、サーバ装置からのコンテンツ推薦情報を受信し、これが記憶手段に記憶される。
【手続補正１０】
【補正対象書類名】明細書
【補正対象項目名】００１７
【補正方法】変更
【補正の内容】
【００１７】
また、請求項３に記載の発明のコンテンツ推薦システムは、請求項１に記載のコンテンツ推薦システムであって、
前記第２の通信機器は、
自己の識別情報を前記第１の通信機器に送信する送信手段を備え、
前記第１の通信機器は、
前記第２の通信機器の識別情報と、前記識別情報により特定される前記第２の通信機器のユーザのコンテンツに対する嗜好情報とを関連付けて記憶保持する嗜好情報格納手段と、
前記第２の通信機器から送信される識別情報を受信する受信手段と
を備え、
前記第１の通信機器の前記選択手段は、前記受信手段によって受信された前記識別情報に対応して前記嗜好情報格納手段に格納されている嗜好情報を抽出し、この嗜好情報に合致するコンテンツ推薦情報を選択する
ことを特徴とする。
【手続補正１１】
【補正対象書類名】明細書
【補正対象項目名】００１８
【補正方法】変更
【補正の内容】
【００１８】
この請求項３に記載の発明のコンテンツ推薦システムによれば、第２の通信機器（通信端末）の識別情報が送信手段を通じて、第１の通信機器（サーバ装置）に送信される。第１の通信機器においては、第２の通信機器の識別情報と、第２の通信機器のユーザのコンテンツに対する嗜好情報とが関連付けて記憶保持されており、第２の通信機器からの識別情報を受信して、これに対応する嗜好情報に合致するコンテンツ推薦情報が選択されて第２の通信機器に提供するようにされる。
【手続補正１２】
【補正対象書類名】明細書
【補正対象項目名】００１９
【補正方法】変更
【補正の内容】
【００１９】
これにより、第１の通信機器は、第２の通信機器のユーザの嗜好に合致したコンテンツ推薦情報を提供することができる。すなわち、第２の通信機器のユーザの嗜好にあったコンテンツのコンテンツ推薦情報を的確に提供することができ、ユーザの欲しない無駄なコンテンツ推薦情報を提供することを防止することができるようにされる。
【手続補正１３】
【補正対象書類名】明細書
【補正対象項目名】００２０
【補正方法】変更
【補正の内容】
【００２０】
この発明によれば、通信機器を介在させたコンテンツ推薦情報の新たな提供形態を実現することができる。また、様々な内容、態様のコンテンツ推薦情報を入手できる環境を構築することができ、コンテンツの利用や購入に際しての重要な判断材料となるコンテンツ推薦情報の提供経路を構築することができる。
【手続補正１４】
【補正対象書類名】明細書
【補正対象項目名】００４０
【補正方法】変更
【補正の内容】
【００４０】
そして、この実施の形態の端末は、上述もしたようにいわゆる携帯端末装置であり、小型化、軽量化が図られ、ユーザの衣服のポケットや鞄などに入れられて持ち運ばれて利用されるものである。したがって、外出先などにおいても、音楽や画像などの種々のコンテンツを再生して利用することができるようにされる。
【手続補正１５】
【補正対象書類名】明細書
【補正対象項目名】０１１４
【補正方法】変更
【補正の内容】
【０１１４】
この後、端末Ｂは、Ａｃｋ信号を形成して、サーバ装置に送信し（ステップＳ２９）、これをサーバ装置が受信して、サーバ装置と端末Ｂとの間に接続したコネクションを切断して、通信を終了する。